(57)【要約】【課題】  構成が簡単で、且つ、例えば、新規・既存の金属製屋根或いはカラーベスト屋根を改修するために設置された金属製屋根にビス・釘打ちを施すことなく容易に取り付けることができる太陽光パネル取付金具を提供すること。【解決手段】  屋根に取り付けられる屋根取付部と、太陽光パネルが着脱可能に取り付けられる太陽光パネル取付部と、を具備した構成になっているので、構成が簡単であり、且つ、例えば、新規・既存の金属製屋根或いはカラーベスト屋根を改修するために設置された金属製屋根に容易に取り付けることができる。【選択図】  図１
2018071091.tif 000002
【特許請求の範囲】
【請求項１】
屋根に取り付けられる屋根取付部と、
太陽光パネルが着脱可能に取り付けられる太陽光パネル取付部と、
を具備したことを特徴とする太陽光パネル取付金具。
【請求項２】
請求項１記載の太陽光パネル取付金具において、
上記屋根取付部は上記屋根の一部を挟持する挟持部を備えたものであることを特徴とする太陽光パネル取付金具。
【請求項３】
請求項１記載の太陽光パネル取付金具において、
上記屋根取付部は上記屋根を構成する屋根材相互間に差し込まれる差込部を備えたものであることを特徴とする太陽光パネル取付金具。
【請求項４】
請求項２記載の太陽光パネル取付金具において、
上記挟持部は上記屋根に穴を開けることなく挟持するものであることを特徴とする太陽光パネル取付金具。
【請求項５】
請求項２〜請求項４の何れかに記載の太陽光パネル取付金具において、
上記太陽光パネル取付部は金具本体を備えていて、上記挟持部又は上記差込部はこの金具本体に移動可能に設けられていることを特徴とする太陽光パネル取付金具。
【請求項６】
請求項５記載の太陽光パネル取付金具において、
上記金具本体には上記屋根の一部に係合する係合部が設けられていることを特徴とする太陽光パネル取付金具。
【請求項７】
請求項２記載の太陽光パネル取付金具において、
上記挟持部が複数設けられていることを特徴とする太陽光パネル取付金具。
【請求項８】
請求項１〜請求項７の何れかに記載の太陽光パネル取付金具において、
上記太陽光パネル取付部はボルトの軸部を突出・配置するものであることを特徴とする太陽光パネル取付金具。
【請求項９】
請求項１〜請求項７の何れかに記載の太陽光パネル取付金具において、
上記太陽光パネル取付部は凹凸部を提供するものであることを特徴とする太陽光パネル取付金具。
【発明の詳細な説明】
【技術分野】
【０００１】
本発明は、例えば、新規・既存の金属製屋根或いはカラーベスト屋根を改修するために設置された金属製屋根に太陽光パネルを取り付ける際に使用される太陽光パネル取付金具に係り、特に、構成が簡単で、且つ、新規・既存の金属製屋根或いはカラーベスト屋根を改修するために設置された金属製屋根にビス・釘打ちを施すことなく容易に取り付けることができるように工夫したものに関する。
【背景技術】
【０００２】
新規・既存の金属製屋根或いはカラーベスト屋根を改修するために設置された金属製屋根に太陽光パネルを取り付ける場合には、金属製屋根材本体の雨水の通り道（流れ方向）に直接ビス・釘によって取付穴を開けるタイプの太陽光パネル取付金具が使用される。この種の太陽光パネル取付金具の構成を開示するものとして、例えば、特許文献１、特許文献２、等がある。
【先行技術文献】
【特許文献】
【０００３】
【特許文献１】特開２０１５−１５１７７６号公報
【特許文献２】特開２０１５−２５３０９号公報
【発明の概要】
【発明が解決しようとする課題】
【０００４】
上記従来の構成によると次のような問題があった。
まず、太陽光パネル取付金具の構成が複雑であるという問題があった。又、太陽光パネルの新規・既存の金属製屋根或いは改修後の金属製屋根に対する取付作業が面倒であるという問題もあった。さらに、取り付けに際しては金属製屋根材本体の雨水の通り道（流れ方向）に直接ビス・釘によって取付穴を開けるビス・釘打ちを行う必要があり、ビス・釘打ち部からの雨漏りが懸念されていた。
【０００５】
本発明はこのような点に基づいてなされたものでその目的とするところは、構成が簡単で、且つ、例えば、新規・既存の金属製屋根或いはカラーベスト屋根を改修するために設置された金属製屋根にビス・釘打ちを施すことなく容易に取り付けることができる太陽光パネル取付金具を提供することにある。
【課題を解決するための手段】
【０００６】
上記目的を達成するべく、本願発明の請求項１による太陽光パネル取付金具は、屋根に取り付けられる屋根取付部と、太陽光パネルが着脱可能に取り付けられる太陽光パネル取付部と、を具備したことを特徴とするものである。
又、請求項２による太陽光パネル取付金具は、請求項１記載の太陽光パネル取付金具において、上記屋根取付部は上記屋根の一部を挟持する挟持部を備えたものであることを特徴とするものである。
又、請求項３による太陽光パネル取付金具は、請求項１記載の太陽光パネル取付金具において、上記屋根取付部は上記屋根を構成する屋根材相互間に差し込まれる差込部を備えたものであることを特徴とするものである。
又、請求項４による太陽光パネル取付金具は、請求項２記載の太陽光パネル取付金具において、上記挟持部は上記屋根に穴を開けることなく挟持するものであることを特徴とするものである。
又、請求項５による太陽光パネル取付金具は、請求項２〜請求項４の何れかに記載の太陽光パネル取付金具において、上記太陽光パネル取付部は金具本体を備えていて、上記挟持部又は上記差込部はこの金具本体に移動可能に設けられていることを特徴とするものである。
又、請求項６による太陽光パネル取付金具は、請求項５記載の太陽光パネル取付金具において、上記金具本体には上記屋根の一部に係合する係合部が設けられていることを特徴とするものである。
又、請求項７による太陽光パネル取付金具は、請求項２記載の太陽光パネル取付金具において、上記挟持部が複数設けられていることを特徴とするものである。
又、請求項８による太陽光パネル取付金具は、請求項１〜請求項７の何れかに記載の太陽光パネル取付金具において、上記太陽光パネル取付部はボルトの軸部を突出・配置するものであることを特徴とするものである。
又、請求項９による太陽光パネル取付金具は、請求項１〜請求項７の何れかに記載の太陽光パネル取付金具において、上記太陽光パネル取付部は凹凸部を提供するものであることを特徴とするものである。
【発明の効果】
【０００７】
以上述べたように本願発明の請求項１による太陽光パネル取付金具によると、屋根に取り付けられる屋根取付部と、太陽光パネルが着脱可能に取り付けられる太陽光パネル取付部と、を具備した構成になっているので、構成が簡単であり、且つ、例えば、新規・既存の金属製屋根或いはカラーベスト屋根を改修するために設置された金属製屋根に容易に取り付けることができる。
又、請求項２による太陽光パネル取付金具によると、請求項１記載の太陽光パネル取付金具において、上記屋根取付部は上記屋根の一部を挟持する挟持部を備えたものであるので、例えば、新規・既存の金属製屋根或いはカラーベスト屋根を改修するために設置された金属製屋根の一部を挟持することにより容易に取り付けることができる。
又、請求項３による太陽光パネル取付金具によると、請求項１記載の太陽光パネル取付金具において、上記屋根取付部は上記屋根を構成する屋根材相互間に差し込まれる差込部を備えたもので、屋根構築時或いは改修時に容易に取り付けることができ、且つ、強固な取付状態を得ることができる。
又、請求項４による太陽光パネル取付金具によると、請求項２記載の太陽光パネル取付金具において、上記挟持部は上記屋根に穴を開けることなく挟持するものであるので、雨漏りに対する懸念を払拭することができる。
又、請求項５による太陽光パネル取付金具によると、請求項２〜請求項４の何れかに記載の太陽光パネル取付金具において、上記太陽光パネル取付部は金具本体を備えていて、上記挟持部又は上記差込部はこの金具本体に移動可能に設けられているので、屋根の状況に応じて挟持部又は差込部の位置を任意に調整することができる。
又、請求項６による太陽光パネル取付金具によると、請求項５記載の太陽光パネル取付金具において、上記金具本体には上記屋根の一部に係合する係合部が設けられているので、より強固な取付構造を提供することができる。
又、請求項７による太陽光パネル取付金具によると、請求項２記載の太陽光パネル取付金具において、上記挟持部が複数設けられているので、より強固な取付構造を提供することができる。
又、請求項８による太陽光パネル取付金具によると、請求項１〜請求項７の何れかに記載の太陽光パネル取付金具において、上記太陽光パネル取付部はボルトの軸部を突出・配置するものであるので、太陽光パネルの取付作業が容易なものとなる。
又、請求項９による太陽光パネル取付金具によると、請求項１〜請求項７の何れかに記載の太陽光パネル取付金具において、上記太陽光パネル取付部は凹凸部を提供するものであるので、太陽光パネルの取付作業が容易なものとなる。
【図面の簡単な説明】
【０００８】
【図１】本発明の第１の実施の形態を示す図で、太陽光パネル取付金具の構成を示す平面図である。
【図２】本発明の第１の実施の形態を示す図で、太陽光パネル取付金具の構成を示す正面図である。
【図３】本発明の第１の実施の形態を示す図で、太陽光パネル取付金具を既存の金属製屋根に取り付ける手順を示す図で、図３（ａ）は墨打ち作業を説明するための平面図、図３（ｂ）は挟持金具を取り付ける作業を説明するための斜視図、第３（ｃ）は金具本体を取り付ける作業を説明するための斜視図、図３（ｄ）は差込部の差込作業を説明するための斜視図、図３（ｅ）は挟持金具を固定する作業を説明するための正面図である。
【図４】本発明の第１の実施の形態を示す図で、カラーベスト屋根を改修するために設置された金属製屋根に太陽光パネル取付金具を取り付けた状態を示す側断面図である。
【図５】本発明の第２の実施の形態を示す図で、太陽光パネル取付金具の構成を示す平面図である。
【図６】本発明の第２の実施の形態を示す図で、太陽光パネル取付金具の構成を示す正面図である。
【図７】本発明の第２の実施の形態を示す図で、太陽光パネル取付金具を新規の金属製屋根を葺く段階で取り付けていく様子を順に示す図で、図７（ａ）は墨打ち作業を説明するための平面図、図７（ｂ）は両面テープの剥離紙を剥がす作業を説明するための斜視図、図７（ｃ）は差込片の係合部を金属製屋根材の係合部に係合させる作業を説明するための斜視図、図７（ｄ）は差込片の平坦部を押し付ける作業を説明するための斜視図、図７（ｅ）は差込片をねじ止めする作業を説明するための斜視図、図７（ｆ）は次の金属製屋根材を葺く作業を説明するための斜視図である。
【図８】本発明の第２の実施の形態を示す図で、カラーベスト屋根を改修するために設置された金属製屋根に太陽光パネル取付金具を取り付けた状態を示す側断面図である。
【図９】本発明の第３の実施の形態を示す図で、図９（ａ）は挟持金具を取り付ける作業を説明するための斜視図、図９（ｂ）は金具本体を取り付ける作業を説明するための斜視図、図９（ｃ）は金具本体を挟持金具に固定する作業を説明するための正面図である。
【図１０】本発明の第４の実施の形態を示す図で、太陽光パネル取付金具の構成を示す平面図である。
【図１１】本発明の第４の実施の形態を示す図で、太陽光パネル取付金具の構成を示す正面図である。
【図１２】本発明の第４の実施の形態を示す図で、太陽光パネル取付金具の構成を示す側面図である。
【図１３】本発明の第４の実施の形態を示す図で、太陽光パネル取付金具を既存の金属製屋根に取り付ける手順を示す図で、図１３（ａ）は墨打ち作業を説明するための平面図、図１３（ｂ）は太陽光パネル取付金具を設置した状態を示す斜視図、図１３（ｃ）は設置された太陽光パネル取付金具を固定する様子を示す斜視図、図１３（ｄ）は太陽光パネル取付金具を複数箇所に取り付けた状態を示す斜視図である。
【図１４】本発明の第５〜第７の実施の形態を示す図で、図１４（ａ）乃至図１４（ｃ）は第５の実施の形態を示す太陽光パネル取付金具の側面図、図１４（ｄ）、図１４（ｅ）は第６の実施の形態を示す太陽光パネル取付金具の側面図、図１４（ｆ）は第７の実施の形態を示す図太陽光パネル取付金具の側面図である。
【図１５】本発明の第８の実施の形態を示す図で、図１５（ａ）乃至図１５（ｄ）は様々な状態の金属製屋根に太陽光パネル取付金具を取り付けた状態を示す側面図である。
【図１６】本発明の第８の実施の形態を示す図で、太陽光パネル取付金具を既存の金属製屋根に取り付ける手順を示す図で、図１６（ａ）は墨打ち作業を説明するための平面図、図１６（ｂ）は太陽光パネル取付金具を金属製屋根に設置した状態を示す斜視図、図１６（ｃ）は太陽光パネル取付金具を金属製屋根に固定する状態を示す斜視図である。
【図１７】本発明の第９の実施の形態を示す図で、図１７（ａ）は太陽光パネル取付金具を既存の金属製屋根に取り付けた状態を示す正面図、図１７（ｂ）は太陽光パネル取付け金具を金属製屋根の複数箇所に取り付けた状態を示す斜視図である。
【図１８】本発明の第９の実施の形態を示す図で、図１８（ａ）、図１８（ｂ）はボルト・ナットを金属製屋根に取り付ける作業を工程順に示す斜視図、図１８（ｃ）はボルト・ナットを金属製屋根に取り付ける作業を工程順に示す側面図である。
【図１９】本発明の第９の実施の形態を示す図で、図１９（ａ）乃至図１９（ｃ）はボルト・ナットを金属製屋根に取り付ける作業を工程順に示す側面図である。
【図２０】本発明の第９の実施の形態を示す図で、図２０（ａ）は太陽光パネル取付金具を既存の金属製屋根に設置する作業を説明するための斜視図、図２０（ｂ）は設置された太陽光パネル取付金具を固定する作業を説明するための斜視図、第２０（ｃ）は固定された太陽光パネル取付金具の様子を示す斜視図である。
【図２１】本発明の第９の実施の形態を示す図で、図２１（ａ）は太陽光パネル取付金具を既存の金属製屋根に設置する作業を説明するための斜視図、図２１（ｂ）は設置された太陽光パネル取付金具を固定する作業を説明するための斜視図、第２１（ｃ）は固定された太陽光パネル取付金具の様子を示す斜視図である。
【図２２】本発明の第１０の実施の形態を示す図で、図２２（ａ）、（ｂ）、（ｃ）は太陽光パネル取付金具をそれぞれ異なる形状の金属製屋根の嵌合部に取り付けた状態を示す図、図２２（ｄ）は太陽光パネル取付金具を金属製屋根の複数箇所に取り付けた状態を示す斜視図である。
【図２３】本発明の第１０の実施の形態を示す図で、太陽光パネル取付金具を既存の金属製屋根に取り付ける手順を示す図で、図２３（ａ）は墨打ち作業を説明するための平面図、図２３（ｂ）は太陽光パネル取付金具を金属製屋根の所定箇所に設置する作業を説明するための斜視図、図２３（ｃ）は設置された太陽光パネル取付金具を固定する作業を説明するための斜視図である。
【図２４】本発明の第１１の実施の形態を示す図で、図２４（ａ）、（ｂ）、（ｃ）、（ｄ）、（ｅ）、（ｆ）は太陽光パネル取付金具をそれぞれ異なる形状の金属製屋根の嵌合部に取り付けた状態を示す正面図、図２４（ｇ）は太陽光パネル取付金具を金属製屋根の複数箇所に取り付けた状態を示す斜視図である。
【図２５】本発明の第１１の実施の形態を示す図で、太陽光パネル取付金具を既存の金属製屋根に取り付ける手順を示す図で、図２５（ａ）は墨打ち作業を説明するための平面図、図２５（ｂ）は太陽光パネル取付金具を金属製屋根の所定箇所に設置する作業を説明するための図、図２５（ｃ）は設置された太陽光パネル取付金具を固定する作業を説明するための斜視図である。
【発明を実施するための形態】
【０００９】
以下、図１乃至図４を参照して本発明の第１の実施の形態を説明する。図１は本実施の形態による太陽光パネル取付金具１の平面図、図２は同上の正面図である。まず、金具本体３があり、この金具本体３は平板からなり帯状をなしている。上記金具本体３の長手方向に沿った両側部は下方に屈曲されていて側部屈曲片５、５となっている。又、上記金具本体３の後端（図１、図２中右端）にはコ字形状に屈曲された係合部７が設けられている。
【００１０】
上記金具本体３の先端（図１、図２中左端）部には、挟持部９が設けられている。まず、挟持金具１１があり、この挟持金具１１は、一枚の平板を二つ折りにした構成になっていて、上側金具片１３、下側金具片１５、これら上側金具片１３、下側金具片１５の間の屈曲部１７とから構成されている。上記下側金具片１５にはボルト１９が固着されていて、このボルト１９は上記上側金具片１３に形成された貫通孔２１を通って上方に突出・配置されている。
【００１１】
一方、上記金具本体３には長孔２３が形成されていて、使用時には、上記ボルト１９の先端は上記長孔２３を貫通して上方に突出・配置され、そこにナット２５が螺合される。上記長孔２３の両縁には目盛２６、２６が設けられていて、これら目盛２６は複数の線２６ａを所定の間隔で凸状に設けて構成されている。
【００１２】
又、上記金具本体３の後端部にはボルト２７が固定されている。すなわち、上記金具本体３には貫通長孔２９が形成されていて、上記ボルト２７はこの貫通長孔２９を下方から上方に向かって貫通していて、そこにワッシャ３０、３２を介してナット３５が螺合されている。
【００１３】
上記構成をなす太陽光パネル取付金具１を使用して太陽光パネルを取り付ける場合について説明する。
まず、上記構成をなす太陽光パネル取付金具１を既存の金属製屋根の適所に取り付ける。以下、図３を参照してその取付手順を説明する。
まず、図３（ａ）に示すように、既存の金属製屋根３１に墨出しを施して太陽光パネル取付金具１の取付位置を決定する。図３（ａ）中墨出し線を一点鎖線で示すとともに特定した取付位置を符号３３で示す。
尚、上記金属製屋根３１は、複数枚の金属製屋根材３５を葺くことにより構成されている。又、図３（ａ）中下側が軒先である。
【００１４】
次に、図３（ｂ）に示すように、太陽光パネル取付金具１から挟持金具１１を取り出して、金属製屋根３１の所定位置の金属製屋根材３５の先端に、上記挟持金具１１の上側金具片１３と下側金具片１５の間を差し込んでいく。その際、図３（ｂ）に示すように、上記挟持金具１１に治具４１を当接させて金槌３７でたたく。
尚、図中符号３９は作業者である。
次に、図３（ｃ）に示すように、取り付けた挟持金具１１からナット２５を外して、その上に金具本体３を設置する。その際、ボルト１９を長孔２３を通して上方に突出させる。又、金具本体３の係合部７を別の金属製屋根材３５の先端に差し込む。そして、図３（ｄ）に示すように、上記治具４１及び金槌３９を使用して上記係合部７を金属製屋根材３５の先端に押し込む。次に、図３（ｅ）に示すように、ボルト１９に、歯付座金４３、ワッシャ４５、スプリングワッシャ４７を介して、上記外したナット２５を螺合する。
【００１５】
同様にして、墨出しにより決められた全ての取付位置３３に太陽光パネル取付金具１を取り付けていく。
後は、その取り付けられた複数個の太陽光パネル取金具１のボルト２７を使用して、図示しない太陽光パネルを設置・固定していく。
【００１６】
又、図３は、既存の金属製屋根３１に太陽光パネル取付金具１を取り付ける場合を例に挙げて説明しているが、例えば、既存の屋根（カラーベスト）を改修して新たな金属製屋根を設けた場合、その新たな金属製屋根に太陽光パネル取付金具１を取り付けることもできる。その様子を図４に示す。
【００１７】
まず、既存の屋根(カラーベスト)５１の構成から説明する。野地板５３があり、この野地板５３の上には防水シート５５が設置されている。上記防水シート５５の上には複数枚の新生屋根瓦５７が葺かれている。又、先端に位置する新生屋根瓦５７には軒先唐草６０が取り付けられている。又、破風板５９には樋６１が取り付けられている。
【００１８】
上記構成をなす既存の屋根(カラーベスト)５１に改修が施され、新たな金属製屋根７１が設置されている。この新たな金属製屋根７１は複数枚の鋼板製屋根材７３を葺くことにより構成されている。上記鋼板製屋根材７３には、先端に係合凹部７４が設けられているとともに基端側に係合凸部７６が設けられている。複数枚の鋼板製屋根材７３を葺いていく場合には、軒先側に位置する鋼板製屋根材７３の係合凸部７６に反軒先側に隣接して位置する鋼板製屋根材７３の係合凹部７４を係合させていく。又、係合凸部７６の反軒先側の平坦部を新生屋根瓦５７に当接させてビス・釘７８によるビス・釘打ちを施す。
尚、先端に設置されている鋼板製屋根材７３はその他の鋼板製屋根材７３に対してその幅（図４中左右方向の長さ）が小さく設定されている。これは、既存の屋根５１の先端の新生屋根瓦５７の働き幅（露出している幅）がそれ以外の新生屋根瓦５７の働き幅に対して小さく設定されていることに対応している。
上記新たな鋼板製屋根材７３に本実施の形態による太陽光パネル取付金具１が取り付けられている。その取付手順は全て説明した通りであり、金具本体３の係合部７を鋼板製屋根材７３の係合凹部７４の外側に係合させるとともに、挟持金具１１によって隣接する別の鋼板製屋根材７３の係合凹部７４の外側を挟持するものである。
そして、上記太陽光パネル取付金具１を所定の複数箇所に取り付け、それら複数個の太陽光パネル取付金具１を使用して図示しない太陽光パネルを設置・固定する。
【００１９】
以上本実施の形態によると次のような効果を奏することができる。
まず、本実施の形態による太陽光パネル取付金具１はその構成が簡単である。すなわち、金具本体３と挟持部９のみから構成されているからである。
又、既存の金属製屋根３１に対して容易に太陽光パネル取付金具１を取り付けることができる。つまり、既存の金属製屋根３１の鋼板製屋根材３３の先端に係合部７を係合させるとともに、別の鋼板製屋根材３３の先端を挟持金具１１によって挟持させ、後は、ナット２５をボルト１９に螺合させるだけで済むからである。
又、既存の屋根(カラーベスト)５１を改修するために設置された金属製屋根７１に対しても、太陽光パネル取付金具１を容易に取り付けることができる。すなわち、鋼板製屋根材７３先端に係合部７を係合させるとともに、別の鋼板製屋根材７３の先端を挟持金具１１によって挟持させ、後は、ナット２５をボルト１９に螺合させるだけ済むからである。
又、既存の金属製屋根３１或いは改修後の金属製屋根７１にビス・釘を打つようなことはなく、よって、ビス・釘打ちにより発生する穴を介しての雨漏り等を懸念する必要もない。
又、金具本体３の長孔２３の両縁には目盛２６、２６が設けられていて、これら目盛２６、２６は凸状に設けられた複数の線２６ａから構成されているので、目盛本来の機能はもとより、ナット２５をボルト１９に螺合させた時の締結力を高める効果もある。
【００２０】
次に、図５乃至図８を参照して本発明の第２の実施の形態を説明する。図５は第２の実施の形態による太陽光パネル取付金具８１の構成を示す平面図であり、図６は同上の正面図である。まず、金具本体８３がある。この金具本体８３は平板からなり帯状をなしている。上記金具本体８３の長手方向に沿った両側部は下方に屈曲されていて側部屈曲片８５、８５となっている。又、上記金具本体８３の後端（図１、図２中右端）にはコ字形状に屈曲された係合部８７が設けられている。
【００２１】
上記金具本体８３の先端部には差込片９１が設けられている。この差込片９１は、後述する屋根材の下に予め差し込まれるものであり、先端から、平坦部９３、係合部９５、平坦部９７、固定部９９、平坦部１０１から構成されている。上記係合部９５は後述する屋根材の係合部に係合される。
尚、上記平坦部９７、１０１の裏面には後述する両面テープが貼り付けられているとともにその表面には剥離紙が貼り付けられている。
【００２２】
上記差込片９１は、ボルト１０３を、金具本体８３に形成された長孔１０５に、上側からワッシャ１０７、１０９を介して通し、下側から図示しないナットを螺合させることにより固定されている。又、上記差込片９１の金具本体８３に対する固定位置は、上記長孔１０５の範囲で任意に調整可能な構成になっている。
上記長孔１０５の両縁には目盛１０６、１０６が設けられていて、これら目盛１０６は複数の線１０６ａを所定の間隔で凸状に設けて構成されている。
【００２３】
又、上記金具本体８３の先端部にはボルト１２７が固定されている。すなわち、上記金具本体３には貫通孔１２９が形成されていて、上記ボルト１２７はこの貫通孔１２９を下方から上方に向かって貫通していて、そこにワッシャ１３1、１３３介してナット１３５が螺合されている。
【００２４】
次に、図７を参照して、上記構成をなす太陽光パネル取付金具８１を新規の金属製屋根１１１を葺くときに取り付ける手順を説明する。
尚、上記金属製屋根１１１は、複数枚の金属製屋根材１１３を葺くことにより構成されている。
【００２５】
まず、図７（ａ）に示すように、金属製屋根１１１に墨出し（図７（ａ）中隅出し線を一点鎖線で示す。）を施して、太陽光パネル取付金具８１を取り付ける取付位置１１５を決める。次に、図７（ｂ）に示すように、差込片９１の平坦部９７、１０１に貼り付けられている剥離紙１４１、１４１を剥がして両面テープ１４２、１４２を露出させる。次に、図７（ｃ）に示すように、太陽光パネル取付金具８１を既存の金属製屋根材１１３上に設置する。その際、差込片９１の係合部９５を上記金属製屋根材１１３の係合部１１３ａに係合させる。次に、図７（ｄ）に示すように、上記差込片９１を金属製屋根材１１３に押し付けて接着・固定する。
【００２６】
次に、図７（ｅ）に示すように、差込片９１に複数本の固定ねじ１２１をねじ込んでこれを固定する。その状態で、図７（ｆ）に示すように、次の金属製屋根材１１３を葺いていく。
尚、上記固定ねじ１２１は金属製屋根材１１３の上からねじ込まれるわけではなく、金属製屋根材１１３を外れた位置でその下に設置されている木材にねじ込まれる。又、そのねじ込み部は次に葺かれる金属製屋根材１１３によって閉塞されるので、雨漏りに対する懸念はない。
【００２７】
この第２の実施の形態による太陽光パネル貼付金具８１の場合も、既存の屋根(カラーベスト)１３１を改修するために設置された金属製屋根に取り付けることができる。その様子を図８に示す。
まず、既存の屋根(カラーベスト)１３１の構成から説明する。野地板１３３が有り、この野地板１３３の上には防水シート１３５が設置されている。上記防水シート１３５の上には複数枚の新生屋根瓦１３７が葺かれている。先端に位置する新生屋根瓦１３７には軒先唐草１３８が取り付けられており、又、破風板１３９には樋１４１が取り付けられている。
【００２８】
上記構成を成す既存の屋根(カラーベスト)１３１に改修が施され、新たな金属製屋根１５１が設置されている。この新たな金属製屋根１５１は複数枚の鋼板製屋根材１５３を葺くことにより構成されている。上記鋼板製屋根材１５３には、先端に係合凹部１５４が設けられているとともに基端側に係合凸部１５６が設けられている。複数枚の鋼板製屋根材１５３を葺いていく場合には、軒先側に位置する鋼板製屋根材１５３の係合凸部１５６に反軒先側に隣接して位置する鋼板製屋根材１５３の係合凹部１５４を係合させていく。又、係合凸部１５６の反軒先側の平坦部を新生屋根瓦１３７に当接させてビス・釘１５８によるビス・釘打ちを施す。
尚、先端に設置されている鋼板製屋根材１５３はその他の鋼板製屋根材１５３に対してその幅（図４中左右方向の長さ）が小さく設定されている。これは、既存の屋根５１の先端の新生屋根瓦１３７の働き幅（露出している幅）がそれ以外の新生屋根瓦１３７の働き幅に対して小さく設定されていることに対応している。
そして、この新たな鋼板製屋根材１５３に本実施の形態による太陽光パネル取付金具８１が取り付けられている。すなわち、金具本体８３の係合凹部８７を鋼板製屋根材１５３の係合凹部１５４の外側に係合させ、差込片９１を鋼板製屋根材１５３、１５３の間に差し込んだ状態で取り付けられている。
そして、上記太陽光パネル取付金具８１を所定の複数箇所に取り付け、それら複数個の太陽光パネル取付金具８１を使用して図示しない太陽光パネルを設置する。
【００２９】
よって、前記第１の実施の形態の場合と同様の効果を奏することができることはもとより、差込片９１を鋼板製屋根材１５３の下に差し込んで固定するようにしているので、太陽光パネル取付金具８１の取付状態がより強固なものとなる。
尚、既存の屋根(カラーベスト)１３１と新たな金属製屋根１５１との間に、例えば、断熱材、遮音材、結露防止シート、防水シート、等を介在させることも考えられる。
【００３０】
次に、図９を参照して本発明の第３の実施の形態を説明する。この第３の実施の形態における太陽光パネル取付金具１′は、前記第１の実施の形態による太陽光パネル取付金具１と類似した構成になっていて、金具本体３′と、２個の挟持金具１１、１１とから構成されている。
図９（ｂ）に示すように、上記金具本体３′の長手方向に沿った両側部は逆Ｕ字形状に折り曲げられていて凸部５′、５′となっている。又、金具本体３′の中央には長孔２３′が形成されている。この長孔２３′の両縁には目盛２４′、２４′が設けられている。これら目盛２４′は複数の線２４′ａを所定の間隔で凸状に設けて構成されている。
一方、上記挟持金具１１は前記第１の実施の形態における挟持金具１１と同様の構成をなしている。
【００３１】
次に、上記構成をなす太陽光パネル取付金具１′を既存の金属製屋根３１に取り付ける作業を説明する。
まず、図９（ａ）に示すように、金属製屋根３１の隣接・配置された金属製屋根材３５、３５に、上記挟持金具１１、１１を取り付ける。図中符号３８は電動工具である。
次に、図９（ｂ）に示すように、２個の挟持金具１１、１１上に金具本体３′を設置し、図９（ｃ）に示すように、各挟持金具１１、１１のボルト１９に、歯付座金４３、ワッシャ４５、スプリングワッシャ４７を介してナット２５を螺合させる。
同様にして、金属製屋根３１の所定の複数箇所に太陽光パネル取付金具１′を設置する。そして、それら複数個の太陽光パネル取付金具１′を使用して図示しない太陽光パネルを取付・固定する。
尚、太陽光パネルを取り付ける場合には、各太陽光パネル取付金具１′の金具本体３′の凸部５′、５′を使用する。
【００３２】
よって、この第３の実施の形態の場合にも、前記第１、第２の実施の形態の場合と略同様の効果を奏することができる。
【００３３】
次に、図１０乃至図１３を参照して本発明の第４の実施の形態を説明する。図１０はこの第４の実施の形態による太陽光パネル取付金具１６１の構成を示す平面図、図１１は同上の正面図、図１２は同上の側面図である。まず、金具本体１６３があり、この金具本体１６３は、所定形状の平板を折り曲げて略門型に形成したものであって、平板部１６５、一対の脚部１６７、１６７とから構成されている。上記平板部１６５には２個の貫通孔１６６、１６６が形成されている。
【００３４】
上記平板部１６５の図１０中左右両端は下方に屈曲されていて屈曲部１６９、１６９になっている。上記脚部１６７は、垂直部１７１と、この垂直部１７１の下端に屈曲・形成された設置部１７３とから構成されている。
【００３５】
上記平板部１６５の下面側には挟持部１７５が設けられている。この挟持部１７５は略逆Ｕ字形状をなしていて、図示しない天板と、この天板に一体に設けられた一対の挟持片１７７、１７７と、これら一対の挟持片１７７、１７７を締め付ける締結具１７９、１７９とから構成されている。上記締結具１７９はボルト１８１と、ナット１８３とから構成されている。上記挟持片１７７、１７７は、図１２に示すように、屈曲・形成されている。
又、上記平板部１６５の中心位置には、ボルト２０１が取り付けられている。すなわち、上記ボルト２０１は、上記挟持部１７５の天板の下側から、天板に形成された図示しない貫通孔及び上記平板部１６５に形成された図示しない貫通孔を通して上方に突出・配置され、そこにナット２０３が、ワッシャ２０４、２０６を介して螺合されている。
【００３６】
上記構成を成す太陽光パネル取付金具１６１は、図１３に示すように、既存の金属製屋根１８１の嵌合部１８５に取り付けられる。以下、図１３を参照して順次説明する。
まず、上記金属製屋根１８１は、複数枚の金属製屋根材１８３を葺くことにより構成されている。そして、上記太陽光パネル取付金具１６１は、上記金属製屋根材１８３の嵌合部１８５に取り付けられている。
【００３７】
すなわち、図１３（ａ）に示すように、既存の金属製屋根１８１に墨打ちを施して、太陽光パネル取付金具１６１を取り付ける位置を決める。図１３（ａ）中取付位置を符号１６２で示す。次に、図１３（ｂ）に示すように、所定の取付位置１６２の嵌合部１８５に上記太陽光パネル取付金具１６１を設置する。すなわち、太陽光パネル取付金具１６１の挟持片１７７、１７７によって、上記嵌合部１８５を挟みこむように設置する。
【００３８】
次に、図１３（ｃ）に示すように、工具３８を使用して締結具１７９のナット１８３を回転させて締め付ける。それによって、太陽光パネル取付金具１６１を所定の取付位置１６２の嵌合部１８５に取り付けることができる。
後は、図１３（ｄ）に示すように、他の取付位置１６２にも太陽光パネル取付金具１６１を取り付けていき、それら太陽光パネル取付金具１６１のボルト２０１を利用して図示しない太陽光パネルを取付・固定する。
【００３９】
以上、この第４の実施の形態の場合も、前記第１乃至第３の実施の形態の場合と同様の効果を奏することができる。
特に、この第４の実施の形態の場合には、嵌合部１８５を備えた金属製屋根１８１に対して有効に機能するものである。
尚、脚部１６７の下面に滑り止めゴムを取り付けることも考えられる。
【００４０】
次に、図１４を参照して本発明の第５乃至第７の実施の形態を説明する。
まず、図１４（ａ）乃至図１４（ｃ）は、第５の実施の形態を示す図で、太陽光パネル取付金具１６１を嵌合部１８５に取り付けた状態を示す側面図である。この第５の実施の形態による太陽光パネル取付金具１６１は、前記第４の実施の形態による太陽光パネル取付金具１６１と基本的には同じ構成であるが、一部形状が異なっている。又、図１４（ａ）乃至図１４（ｃ）に示す嵌合部１８５は、「立平葺」と称されるものである。
【００４１】
又、図１４（ｄ）、図１４（ｅ）は、第６の実施の形態を示す図で、太陽光パネル取付金具１６１を嵌合部１８５に取り付けた状態を示す側面図である。この第６の実施の形態による太陽光パネル取付金具１６１も、前記第４の実施の形態による太陽光パネル取付金具１６１と基本的には同じ構成であるが、一部形状が異なっている。又、図１４（ｄ）、図１４（ｅ）に示す嵌合部１８５は、「嵌合式立平葺」と称されるものである。
【００４２】
さらに、図１４（ｆ）は、第７の実施の形態を示す図で、太陽光パネル取付金具１６１を嵌合部１８５に取り付けた状態を示す側面図である。この場合には、前記第４の実施の形態における脚部１６７と挟持部１７５を一体化させたような構成をなしている。又、図１４（ｆ）に示す嵌合部１８５も、「嵌合式立平葺」と称されるものである。
よって、これら第５乃至第７の実施の形態においても、前記第４の実施の形態の場合と略同様の効果を奏することができる。
【００４３】
次に、図１５、図１６を参照して本発明の第８の実施の形態を説明する。前記第４〜第７の実施の形態の場合は、脚部１６７の内側に挟持部１７５が配置された構成になっているが、この第８の実施の形態の場合には、脚部１６７の外側に挟持部１７５が設置された構成になっている。以下、詳しく説明する。
上記脚部１６７は平板部１６３に対して離間配置されていて、嵌合部１８５の上に着座されるように設置される。又、挟持部１７５の締結具１７９のボルト１８１は上記脚部１６７を貫通するように配置されている。又、上記脚部１６７は略Ｕ字形状をなしていて嵌合部１８５上に載置されることになる。又、上記脚部１６７の一端側（図１５中手前側）の左右には張出部１６８、１６８が張り出されている。
その他の構成は前記第４乃至第７の実施の形態の場合と同様の構成になっており、図中同一部分には同一符号を付して示しその説明は省略する。
そして、上記脚部１６７を嵌合部１８５上に着座させた状態で、挟持部１７５の締結具１７９を締め付ける。それによって、嵌合部１８５の両端が挟持片１７７、１７７によって挟持される。
尚、図１５（ａ）は「瓦防葺Ａタイプ」、図１５（ｂ）は「瓦棒葺Ｂタイプ」、図１５（ｃ）は「瓦棒葺Ｃタイプ」、図１５（ｄ）は「瓦棒葺Ｄタイプ」と称されるものである。
又、図１６は、図１５（ａ）に示す「瓦防葺Ａタイプ」の場合の、施工手順を示しており、図１６（ａ）は墨打ち作業を示しており、図１６（ｂ）は太陽光パネル取付金具１６１の設置作業を示しており、図１６（ｃ）は太陽光パネル取付金具１６１の固定作業を示している。
したがって、前記第４乃至第７の実施の形態の場合と略同様の効果を奏することができる。
【００４４】
次に、図１７乃至図２１を参照して本発明の第９の実施の形態を説明する。この実施の形態による太陽光パネル取付金具２５１は、下側金具要素２５３と、上側金具要素２５５と、から構成されている。上記下側金具要素２５３は、その横断面形状が略Ｗ字形状をなしていて、底壁２５３ａと、左右の側壁２５３ｂ、２５３ｃとから構成されている。又、上記底壁２５３ａの中央には嵌合取付用凹部２５７が形成されている。又、上記嵌合取付用凹部２５７にはボルト２６３が座金２５９を介して取り付けられている。上記ボルト２６３にナット２６５が座金２６１を介して螺合されている。
尚、上記ナット２６５と座金２６１は一体物である。又、これらナット２６５と座金２６１を外しても、上記ボルト２６３と座金２５９は嵌合２６２から脱落しないように構成されている。
【００４５】
一方、上記上側金具要素２５５は、その横断面形状が略逆Ｕ字形状をなしていて、天井壁２５５ａと、左右の側壁２５５ｂ、２５５ｃとから構成されている。上記天井壁２５５ａの中央にはボルト２７１が下から上に向かって貫通・配置されていて、そこにはナット２７３がワッシャ２７５、２７７を介して螺合されている。
【００４６】
上記上側金具要素２５５は上記下側金具要素２５３の上に被冠・固定されている。すなわち、上側金具要素２５５の側壁２５５ｂ、２５５ｃが、下側金具要素２５３の側壁２５３ｂ、２５３ｃの外側に被冠されていて、その状態で、ボルト２８１がワッシャ２８３を介して差し込まれ図示しないナットを螺合させることにより固定されている。
【００４７】
そして、図１７（ｂ）に示すように、既存の金属製屋根２６０の所定の複数の取付箇所に太陽光パネル取付金具２５１を取り付ける。以下、図１８乃至図２１を参照してその取付作業を説明する。
まず、ナット２６５、座金２６１、ボルト２６３、座金２５９は、図１８、図１９に示すような工程を経て取り付けられる。まず、図１８（ａ）に示すように、工具１６０を使用して嵌合部１８５に穿孔を施す。次に、図１８（ｂ）に示すように、上記穿孔により設けられた孔１６２内に治具を差し込む。次に、図１８（ｃ）に示すように、嵌合部１８５の下側において座金２５９を取付ける。次に、図１９（ａ）、（ｂ）、（ｃ）に示すように、ボルト２６３にナット２６５を螺合させていく。
そして、図２０、図２１に示すように、まず、上側金具要素２５５と下側金具要素２５３を分離させ、下側金具要素２５３を屋根２６０の所定の取付箇所に取り付ける。次に、図２１（ａ）に示すように、下側金具要素２５３の上に上側金具要素２５５を被せる。そして、ボルト２８４１をワッシャ２８３を介して螺合する。次に、図２１（ｂ）に示すように、工具４２を使用して上記ボルト２８１を回転させ締結・固定する。
尚、図２１（ｃ）は太陽光パネル取付金具２５１が取り付けられた状態を示している。
そして、金属製屋根２６０の所定の複数の取付箇所に太陽光パネル取付金具２５１を取り付け、それら取り付けられた複数個の太陽光パネル取付金具２５１を使用して、図示しない太陽光パネルを取り付ける。
【００４８】
よって、前記第１乃至第８の実施の形態の場合と同様の効果を奏することができる。
【００４９】
次に、図２２及び図２３を参照して本発明の第１０の実施の形態を説明する。この実施の形態による太陽光パネル取付金具２８１は、固定金具２８３と、この固定金具２８３に対して左右方向にスライド可能に設けられたスライド金具２８４を備えている。固定金具２８３は、天板２８３ａ、側板２８３ｂ、上記側板２８３ｂに直交する側板２８３ｃ、２８３ｄから構成されている。又、上記スライド金具２８４は、上記天板２８３ａの下側に配置された天板２８４ａ、側板２８４ｂ、上記側板２８４ｂに直交する側板２８４ｃ、２８４ｄから構成されている。上記側板２８３ｃ、２８３ｄには凹部２８５、２８５が形成されている。又、上記側板２８４ｃ、２８４ｄにも凹部２８６、２８６が形成されている。上記凹部２８５、２８６の大きさ、形状は、金属製屋根２９１の嵌合部２９３の大きさ、形状によって異なる。
因みに、図２２（ａ）、図２２（ｂ）、図２２（ｃ）は大きさ、形状が異なる３種類の嵌合部２９３に対応する凹部２８５、２８６を備えた３種類の太陽光パネル取付金具２８１をそれぞれ示している。
【００５０】
又、固定金具２８３とスライド金具２８４にはボルト２８７が貫通・配置されていて、そこにはナット２８９が螺合されている。そして、上記左右の側壁２８３ｃ、２８４ｃ、２８３ｄ、２８４ｄによって上記金属製屋根２９１の嵌合２９３を挟持し、その状態で上記ボルト２８７、ナット２８９によって締結する。
【００５１】
又、上記天井壁２８３ａにはボルト２９５が貫通・配置されていて、そこにはナット２９７が螺合されている。上記ボルト２９５を使用して図示しない太陽光パネルを取り付ける。
上記天板２８４ａ側には上記ボルト２９５の頭部位置に図示しない長溝が形成されている。
【００５２】
上記構成によると、図２３（ａ）に示すように、金属製屋根２９１に墨打ちを施して、太陽光パネル取付金具２８１を取り付ける取付位置２９９を決める。図２３（ａ）中墨打ち線を符号２９８で示す。次に、図２３（ｂ）に示すように、上記取付位置２９９に太陽光パネル取付金具２８１を設置する。そして、図２３（ｃ）に示すように、電動工具４２によって、ナット２８９を回転させることにより締結・固定する。
同様の作業を所定の複数箇所の取付位置２９９に施して複数個の太陽光パネル取付金具２８１を取り付ける。そして、それら複数個の太陽光取付パネル２８１を使用して図示しない太陽光パネルを取り付ける。
【００５３】
よって、前記第１乃至第９の実施の形態の場合と同様の効果を奏することができる。
【００５４】
次に、図２４及び図２５を参照して本発明の第１１の実施の形態を説明する。この実施の形態による太陽光パネル取付金具３０１は、外側金具要素３０３と、内側金具要素３０５とから構成されている。上記外側金具要素３０３は、天井壁３０３ａと、この天井壁３０３ａの内側に配置された逆Ｕ字形状の締結部材３０４と、から構成されている。上記締結部材３０４は、図示しない天井壁と、左右の側壁３０４ｂ、３０４ｃとから構成されている。上記天井壁３０３ａと締結部材３０４の図示しない天井壁にはボルト３０７が下から上に向けて貫通・配置されていて、このボルト３０７にはナット３０９が螺合されている。このボルト３０７を使用して図示しない太陽光パネルを取り付ける。
一方、上記内側金具要素３０５は、その横断面形状がＵ字形状をなしていて、底壁３０５ａと、左右の側壁３０５ｂ、３０５ｃとから構成されている。
【００５５】
上記外側金具要素３０３の側壁３０３ｂ、３０３ｃ、上記内側金具要素３０５の側壁３０５ｂ、３０５ｃを貫通するように、ボルト３１１が配置されていて、このボルト３１１にはナット３１３が螺合されている。上記外側金具要素３０３の側壁３０３ｂ、３０３ｃによって、金属製屋根３２１の嵌合３２３を挟持し、その状態で、上記ボルト３１１、ナット３１３を締める。
【００５６】
図２４（ａ）乃至図２４（ｆ）は、それぞれ金属製屋根３２１の嵌合部３２３の大きさ、形状が異なる場合を示している。
【００５７】
尚、上記太陽光パネル取付金具３０１の金属製屋根３２１に対する取付作業は図２５に示すような手順で行われる。まず、図２５（ａ）に示すように、墨打ちが施され（図２５（ａ）中墨打ち線を一点鎖線で示す。）、太陽光パネル取付金具３０１の取付位置３３１が決められる。
次に、図２５（ｂ）に示すように、上記取付位置に太陽光パネル取付金具３０１を設置し、図２５（ｃ）に示すように、電動工具３８によって、ボルト３１１、ナット３１３を締結する。
【００５８】
そして、図２４（ｇ）に示すように、上記金属製屋根３２１の所定の複数箇所に同様にして太陽光パネル取付金具３０１を取り付け、それら複数の太陽光パネル取付金具３０１を使用して、図示しない太陽光パネルを取り付ける。
【００５９】
よって、前記第１乃至第１０の実施の形態の場合と同様の効果を奏することができる。
【００６０】
尚、本発明は前記第１乃至第１１の実施の形態に限定されるものではない。
前記第１乃至第１１の実施の形態の場合には、太陽光パネル取付金具に取り付けられたボルト、すなわち、太陽光パネルを取り付けるためのボルトを１本にした例を説明したが、それに限定されるものではなく、例えば、複数本のボルトを設けることも考えられる。
又、ボルト以外にも、太陽光パネルを取り付けるための様々な構造が考えられる。
又、前記第１の実施の形態において、差込部、挟持部の構成としては、様々な構成が考えられる。
又、前記第２の実施の形態においても、差込部、差込片の構成としては、様々な構成が考えられる。
さらに、前記第３の実施の形態においても、一対の脚部、挟持部の構成としては、様々な構成が考えられる。
その他、図示した構成はあくまで一例である。
【産業上の利用可能性】
【００６１】
本発明は、金属製屋根に太陽光パネルを取り付ける際に使用される太陽光パネル取付金具に係り、特に、構成が簡単で、且つ、新規・既存の金属製屋根或いはカラーベスト屋根を改修するために設置された金属製屋根にビス・釘打ちを施すことなく容易に取り付けることができるように工夫したものに関し、例えば、例えば、新規・既存の金属製屋根或いはカラーベスト屋根を改修するために設置された金属製屋根に太陽光パネルを取り付ける際に好適である。
【符号の説明】
【００６２】
１  太陽光パネル取付金具
３  金具本体
７  係合部
９  挟持部（屋根取付部）
１１  挟持金具
２７  太陽光パネル取付用ボルト（太陽光パネル取付部）
９１  差込部（屋根取付部）
【図１】
2018071091.tif 000003
【図２】
2018071091.tif 000004
【図３】
2018071091.tif 000005
【図４】
2018071091.tif 000006
【図５】
2018071091.tif 000007
【図６】
2018071091.tif 000008
【図７】
2018071091.tif 000009
【図８】
2018071091.tif 000010
【図９】
2018071091.tif 000011
【図１０】
2018071091.tif 000012
【図１１】
2018071091.tif 000013
【図１２】
2018071091.tif 000014
【図１３】
2018071091.tif 000015
【図１４】
2018071091.tif 000016
【図１５】
2018071091.tif 000017
【図１６】
2018071091.tif 000018
【図１７】
2018071091.tif 000019
【図１８】
2018071091.tif 000020
【図１９】
2018071091.tif 000021
【図２０】
2018071091.tif 000022
【図２１】
2018071091.tif 000023
【図２２】
2018071091.tif 000024
【図２３】
2018071091.tif 000025
【図２４】
2018071091.tif 000026
【図２５】
2018071091.tif 000027